(57)【要約】      （修正有）【課題】部品点数及び組立工数の低減を図りつつ、下筐体と上筐体とを確実に保持固定することができる光モジュールを提供する。【解決手段】光モジュール１は、素子収容壁部５を有する下筐体２と、この下筐体２に回動可能に取り付けられた上筐体３とを備えている。上筐体３の裏面には係止用突起１９が突設されており、この係止用突起１９の先端部には爪部２０が設けられている。素子収容壁部５の部材収容凹部には、電磁シールド部材２１が嵌入されている。電磁シールド部材２１の上部中央には、下筐体２と上筐体３とを係止するためのＵ字状の板バネ部２５が設けられている。板バネ部２５は、係止用突起１９の爪部２０と係合する。具体的には、下筐体２に対して上筐体３を閉じると、板バネ部２５の先端が爪部２０の受け面に当接した状態で、爪部２０が板バネ部２５を付勢力に抗して弾性変形させる。【選択図】図８
2012037617.tif 000002
【特許請求の範囲】
【請求項１】
光素子を収容する素子収容部を有する下筐体と、
前記下筐体に回動可能に取り付けられ、前記素子収容部を含む領域を覆う上筐体と、
前記素子収容部に装着された補助部材と、
前記下筐体と前記上筐体とを係止する係止手段とを備え、
前記係止手段は、前記補助部材の上部に設けられた係止用弾性部と、前記上筐体に設けられ、前記係止用弾性部と係合する係止用突起とを有することを特徴とする光モジュール。
【請求項２】
前記係止手段により前記下筐体と前記上筐体とが係止された状態において、前記下筐体及び前記上筐体を一緒に挟み込んで固定する固定部材を更に備えることを特徴とする請求項１記載の光モジュール。
【請求項３】
前記係止用弾性部は、Ｕ字状に曲げられた板バネ構造を有し、
前記係止用突起の先端部には、前記係止用弾性部の先端を受ける爪部が設けられていることを特徴とする請求項１または２記載の光モジュール。
【請求項４】
前記素子収容部には、前記光素子を前記下筐体の前後方向に対して位置決めするための壁が設けられており、
前記補助部材には、前記光素子に設けられたフランジ部を前記壁に押し付ける複数の押付用弾性部が設けられていることを特徴とする請求項１〜３のいずれか一項記載の光モジュール。
【請求項５】
前記下筐体は、前記下筐体の左右両側に配置された１対の側壁を有し、
前記各側壁の後端部の上面は、前記下筐体の後側に向かって下がるような傾斜面となっており、
前記各側壁の後端部の内側面には、断面半円状の回転軸用凸部が設けられており、
前記上筐体の後端部の上面は、前記各側壁の後端部の上面と面一となっており、
前記上筐体の後端部の両側面には、前記回転軸用凸部と嵌合する断面半円状の回転軸用凹部が設けられていることを特徴とする請求項１〜４のいずれか一項記載の光モジュール。
【請求項６】
前記下筐体における前記素子収容部の後側には、前記光素子と物理的に接続される電気回路基板を収容する領域が設けられており、
前記補助部材は、前記電気回路基板で発生する電磁ノイズをシールドする機能を有していることを特徴とする請求項１〜５のいずれか一項記載の光モジュール。
【発明の詳細な説明】
【技術分野】
【０００１】
本発明は、発光素子や受光素子等の光素子を有する光モジュールに関するものである。
【背景技術】
【０００２】
従来の光モジュールとしては、例えば特許文献１に記載されているように、発光素子及び受光素子と電気回路基板とを収容する下筐体と、この下筐体の内部を覆う上筐体とを備えたものが知られている。
【先行技術文献】
【特許文献】
【０００３】
【特許文献１】国際公開：ＷＯ０３／０７１３２７
【発明の概要】
【発明が解決しようとする課題】
【０００４】
しかしながら、上記従来技術においては、以下の問題点が存在する。即ち、下筐体に対して上筐体を閉じたときに、下筐体と上筐体との間にガタツキが存在すると、モジュール内で発生するＥＭＩノイズを効果的に抑制することが困難となる。このため、下筐体と上筐体との間に生じるガタツキを無くすために、下筐体と上筐体とをネジ止めしている。しかし、この場合には部品点数の増大、またはタップ加工工程の追加によるコストアップ及び組立工数の増大につながる。
【０００５】
本発明の目的は、部品点数及び組立工数の低減を図りつつ、下筐体と上筐体とを確実に保持固定することができる光モジュールを提供することである。
【課題を解決するための手段】
【０００６】
本発明の光モジュールは、光素子を収容する素子収容部を有する下筐体と、下筐体に回動可能に取り付けられ、素子収容部を含む領域を覆う上筐体と、素子収容部に装着された補助部材と、下筐体と上筐体とを係止する係止手段とを備え、係止手段は、補助部材の上部に設けられた係止用弾性部と、上筐体に設けられ、係止用弾性部と係合する係止用突起とを有することを特徴とするものである。
【０００７】
このような本発明の光モジュールにおいては、下筐体に対して上筐体を回動させて閉じると、上筐体に設けられた係止用突起部が、下筐体に保持された補助部材の上部に設けられた係止用弾性部を付勢力に抗して弾性変形させることで、下筐体と上筐体とが係止されるようになる。このとき、係止用弾性部の付勢力によって係止用突起が下筐体に対して押し付けられるため、下筐体と上筐体とのガタツキが抑えられる。また、下筐体と上筐体とのガタツキ（隙間）を無くすために、下筐体と上筐体とをネジ止め固定しなくて済む。以上により、光モジュールの部品点数及び組立工数を低減しつつ、下筐体と上筐体とを確実に保持固定することができる。
【０００８】
好ましくは、係止手段により下筐体と上筐体とが係止された状態において、下筐体及び上筐体を一緒に挟み込んで固定する固定部材を更に備える。この場合には、固定部材によって下筐体と上筐体とをより確実に保持固定することができる。
【０００９】
また、好ましくは、係止用弾性部は、Ｕ字状に曲げられた板バネ構造を有し、係止用突起の先端部には、係止用弾性部の先端を受ける爪部が設けられている。この場合には、係止手段の構造を簡単にしつつ、下筐体と上筐体とのガタツキを抑えることができる。
【００１０】
さらに、好ましくは、素子収容部には、光素子を下筐体の前後方向に対して位置決めするための壁が設けられており、補助部材には、光素子に設けられたフランジ部を壁に押し付ける複数の押付用弾性部が設けられている。この場合には、光素子に設けられたフランジ部を壁に押し付ける部品を別途用意しなくて済むため、光モジュールの部品点数を更に削減することができる。
【００１１】
また、好ましくは、下筐体は、下筐体の左右両側に配置された１対の側壁を有し、各側壁の後端部の上面は、下筐体の後側に向かって下がるような傾斜面となっており、各側壁の後端部の内側面には、断面半円状の回転軸用凸部が設けられており、上筐体の後端部の上面は、各側壁の後端部の上面と面一となっており、上筐体の後端部の両側面には、回転軸用凸部と嵌合する断面半円状の回転軸用凹部が設けられている。下筐体における各側壁の後端部の上面を下筐体の後側に向かって下がるような傾斜面とし、上筐体の後端部の上面を各側壁の後端部の上面と面一つまり傾斜面とすることにより、例えばケージに覆われたホストコネクタに光モジュールを接続する場合に、光モジュールをケージ内に挿入しやすくなる。また、下筐体における各側壁の内側面に断面半円状の回転軸用凸部を設け、上筐体の後端部の両側面に、回転軸用凸部と嵌合する断面半円状の回転軸用凹部を設けることにより、例えば光モジュールをケージ内に挿入するときに、ケージ内に配置された接続用端子が上筐体の後端部に引っ掛かりにくくなる。
【００１２】
さらに、好ましくは、下筐体における素子収容部の後側には、光素子と物理的に接続される電気回路基板を収容する領域が設けられており、補助部材は、電気回路基板で発生する電磁ノイズをシールドする機能を有している。この場合には、電気回路基板で発生する電磁ノイズをシールドする部材を別途用意しなくて済むため、光モジュールの部品点数を更に削減することができる。
【発明の効果】
【００１３】
本発明によれば、部品点数及び組立工数の低減を図りつつ、下筐体と上筐体とを確実に保持固定し、ＥＭＩノイズの抑制効果を向上させることが可能となる。
【図面の簡単な説明】
【００１４】
【図１】本発明に係わる光モジュールの一実施形態の一部を示す斜視図である。
【図２】下筐体及び上筐体の分解斜視図である。
【図３】下筐体に光素子及び電気回路基板が収容された状態を示す斜視図である。
【図４】上筐体を裏面側から見たときの斜視図である。
【図５】下筐体に電磁シールド部材が装着された状態を示す部分斜視図である。
【図６】電磁シールド部材の外観を示す斜視図である。
【図７】下筐体に光素子が収容された状態を示す断面図である。
【図８】下筐体に対して上筐体を閉じたときの状態を示す断面図である。
【図９】下筐体及び上筐体に固定部材が装着された状態を示す斜視図である。
【図１０】固定部材の外観を示す斜視図である。
【図１１】光モジュールを別の角度から見たときの斜視図である。
【発明を実施するための形態】
【００１５】
以下、本発明に係わる光モジュールの好適な実施形態について、図面を参照して詳細に説明する。
【００１６】
図１は、本発明に係わる光モジュールの一実施形態の一部を示す斜視図である。同図において、本実施形態の光モジュール１は、下筐体２と、この下筐体２に回動可能に取り付けられた上筐体３とを備えている。下筐体２及び上筐体３は、例えばアルミダイカスト品である。
【００１７】
下筐体２は、図１及び図２に示すように、光コネクタ（図示せず）が挿入される２つのレセプタクル４ａを有するレセプタクル壁部４と、このレセプタクル壁部４の後側に設けられた素子収容壁部５とを有している。
【００１８】
図３に示すように、下筐体２内における素子収容壁部５を含む領域には、２つの光素子（発光素子及び受光素子）６が並んで収容される。また、下筐体２内における各光素子６の後側の領域には、各光素子６と物理的に接続された電気回路基板７が収容される。電気回路基板７には、光素子６を駆動する駆動ＩＣ等の電子部品が実装されている。
【００１９】
また、下筐体２は、レセプタクル壁部４の左右両側から後方に延びる１対の側壁８を有している。各側壁８の後端部の上面８ａは、下筐体２の後側に向かって下がるような傾斜面となっている。各側壁８の内側面の後部上端部には、断面半円状の回転軸用凸部９が設けられている。
【００２０】
素子収容壁部５は、各レセプタクル４ａと連通した２つの挿通孔１０ａを有する前壁１０と、この前壁１０の後側に設けられ、前壁１０よりも高さの低い後壁１１とを有している。素子収容壁部５における前壁１０と後壁１１との間には、後述する電磁シールド部材２１（図５参照）を装着するための部材収容凹部１２が形成されている。
【００２１】
前壁１０の中央上端部には、断面矩形状の切り欠き１３が形成されている。前壁１０の上部における各挿通孔１０ａの左右両側には、下筐体２の前後方向に延びる溝部１４がそれぞれ形成されている。後壁１１は、光素子６を下筐体２の前後方向に対して位置決めするための壁である。後壁１１には、２つの曲面凹状部１５が下筐体２の幅方向に並んで形成されている。
【００２２】
上筐体３は、下筐体２における各光素子６及び電気回路基板７を収容する領域を覆うように、下筐体２の後端部に設けられた各回転軸用凸部９を介して回動可能に取り付けられている。上筐体３の後端部の上面３ａは、上筐体３の後側に向かって下がるような傾斜面となっている。上筐体３を下筐体２に対して閉じた状態では、上筐体３の後端部の上面３ａは各側壁８の後端部の上面８ａと面一となっている。上筐体３の両側面の後部上端部には、下筐体２の各回転軸用凸部９と嵌合する断面半円状の回転軸用凹部１６がそれぞれ形成されている。
【００２３】
図４に示すように、上筐体３の裏面の前側部分には、突壁１７が突設されている。突壁１７には、２つの曲面凹状部１８が上筐体３の幅方向に並んで形成されている。曲面凹状部１８は、後壁１１に形成された曲面凹状部１５と協働して、光素子６を挿通させる円形の挿通孔を形成する。上筐体３の裏面における突壁１７の前側には、係止用突起１９が突設されている。係止用突起１９の先端部には、爪部２０が設けられている。
【００２４】
下筐体２の素子収容壁部５に形成された部材収容凹部１２には、図３及び図５に示すように、例えば鉄合金、アルミ合金、銅合金等で形成された板金部品からなる電磁シールド部材２１が嵌入されている。電磁シールド部材２１は、電気回路基板７で発生するノイズを外部に漏らさないように遮蔽する部材である。
【００２５】
図６に示すように、電磁シールド部材２１の上部には、素子収容壁部５の前壁１０に形成された溝部１４と係合する左右２つの引っ掛け片２２が設けられている。これらの引っ掛け片２２を図５に示すように溝部１４に差し込むことで、電磁シールド部材２１が部材収容凹部１２から抜け出ようとしても、各引っ掛け片２２が前壁１０に引っ掛かるため、電磁シールド部材２１が部材収容凹部１２から抜け出ることは無い。
【００２６】
電磁シールド部材２１は、光素子６を挿通させる２つの挿通孔２３を有している。電磁シールド部材２１における各挿通孔２３の周りには、光素子６を下筐体２の前後方向に対して位置決めするための平板状の板バネ部２４が３つずつ設けられている。これらの板バネ部２４は、図７に示すように、光素子６に設けられたフランジ部６ａを付勢力（バネ力）により後壁１１に押し付けることで、光素子６を下筐体２の前後方向に対して位置合わせする。
【００２７】
電磁シールド部材２１の上部中央には、下筐体２と上筐体３とを係止するためのＵ字状の板バネ部２５が設けられている。板バネ部２５は、電磁シールド部材２１の上方側に対してＵ字状に曲げられている。板バネ部２５は、図８に示すように、上筐体３に設けられた係止用突起１９の爪部２０と係合する。
【００２８】
具体的には、下筐体２に対して上筐体３を閉じると、係止用突起１９が前壁１０の切り欠き１３に入り込み、板バネ部２５の先端が爪部２０の受け面に当接した状態で、爪部２０が板バネ部２５を付勢力に抗して弾性変形させる。なお、爪部２０の受け面は、係止用突起１９の延在方向に対して所定の角度（例えば４５度）で傾斜している。
【００２９】
このとき、板バネ部２５の付勢力によって係止用突起１９が前壁１０に対して押さえ付けられる。このため、下筐体２と上筐体３とががたつくこと無く係止されるようになる。
【００３０】
また、光モジュール１は、図９に示すように、下筐体２に対して上筐体３を閉じた状態で、下筐体２及び上筐体３を一緒に挟み込んで固定する断面略矩形状の固定部材２６を更に備えている。固定部材２６は、例えば鉄合金、アルミ合金、銅合金等で形成された板金部品からなっている。固定部材２６には、歯型状に配置された複数のフィンガー部２６ａが設けられている。
【００３１】
図１０に示すように、固定部材２６の上面部には、２つの円形状の貫通孔２７が形成されている。固定部材２６の下面部の中央部には、左右両側から上面部に向けて屈曲してなる屈曲突部２８が設けられている。
【００３２】
上筐体３の上面には、図１等に示すように、固定部材２６の各貫通孔２７と嵌合する２つの円形状の突起２９が設けられている。下筐体２の底面には、図１１に示すように、固定部材２６の屈曲突部２８と嵌合する凹部３０が形成されている。固定部材２６が下筐体２及び上筐体３に装着されるときは、図９に示すように固定部材２６の各貫通孔２７に上筐体３の各突起２９が嵌まると共に、固定部材２６の屈曲突部２８が下筐体２の凹部３０に挿入された状態となる。
【００３３】
以上のように構成された光モジュール１は、図示しない基板上のホストコネクタと接続される。ホストコネクタは、ハウジングゲージにより覆われている。光モジュール１をホストコネクタに接続するときは、光モジュール１をハウジングゲージ内に挿入することになる。このとき、下筐体２の後端部の上面８ａ及び上筐体３の後端部の上面３ａは、いずれも後側に向かって下がるような傾斜面となっている。このため、光モジュール１をハウジングゲージに引っ掛けること無くハウジングゲージ内にスムーズに挿入することができる。
【００３４】
また、ハウジングゲージ内には、電気的接続をとるためのバネ状の接続用端子が配置されている。ここで、下筐体２の後部上端部には、断面半円状の回転軸用凸部９が設けられ、上筐体３の後部上端部には、回転軸用凸部９と嵌合する断面半円状の回転軸用凹部１６が形成されている。つまり、回転軸用凹部１６には深い隙間は存在していない。このため、光モジュール１をハウジングゲージ内に挿入する際に、接続用端子が上筐体３に引っ掛かりにくくなる。また、固定部材２６には複数のフィンガー部２６ａが設けられているので、接続用端子と筐体２，３との電気的接続がフィンガー部２６ａを介して確実に行われる。
【００３５】
以上のように本実施形態にあっては、下筐体２に装着される電磁シールド部材２１の上部にＵ字状の板バネ部２５を設け、上筐体３の裏面に、板バネ部２５の先端を受ける爪部２０を有する係止用突起１９を設けることにより、板バネ部２５の弾性変形を利用して上筐体３を下筐体２に係止するようにしたので、下筐体２と上筐体３とのガタツキが抑えられる。これにより、下筐体２と上筐体３とを確実に保持固定することができる。また、下筐体２と上筐体３とのガタツキ（隙間）を無くすために、下筐体２と上筐体３とをネジで固定したり、下筐体２と上筐体３との間に柔軟なシートやゲル等を介在させなくて済む。従って、光モジュールの部品点数を低減することができる。これにより、低コスト化を図ると共に、組立工数を低減することができる。
【００３６】
また、下筐体２及び上筐体３を一緒に挟み込んで固定する固定部材２６を設けたので、何らかの要因により下筐体２と上筐体３との係止状態が一時的に解除されても、下筐体２と上筐体３との保持固定状態を維持することができる。
【００３７】
以上のように下筐体２と上筐体３との隙間を無くすように両者を保持固定するので、光モジュール１のＥＭＩノイズの抑制効果を向上させることが可能となる。
【００３８】
また、電磁シールド部材２１に、上筐体３を下筐体２に係止するための板バネ部２５と、光素子６を下筐体２の前後方向に対して位置決めするための複数の板バネ部２４とを設けたので、これらの板バネ部を有する別の部材を用意する必要が無い。従って、光モジュール１の部品点数を増やさずに済むので、更なる低コスト化を図ることができる。
【００３９】
なお、本発明は、上記実施形態に限定されるものではない。例えば上記実施形態では、電磁シールド部材２１に、上筐体３を下筐体２に係止するための板バネ部２５と、光素子６を下筐体２の前後方向に対して位置決めするための複数の板バネ部２４とを設けたが、特にそのような構成には限られず、板バネ部２５及び複数の板バネ部２４を有する部材を、電気回路基板７で発生するノイズをシールドする部材とは別に設けるようにしても良い。
【符号の説明】
【００４０】
１…光モジュール、２…下筐体、３…上筐体、３ａ…上面（傾斜面）、５…素子収容壁部（素子収容部）、６…光素子、６ａ…フランジ部、７…電気回路基板、８…側壁、８ａ…上面（傾斜面）、９…回転軸用凸部、１１…後壁、１６…回転軸用凹部、１９…係止用突起（係止手段）、２０…爪部、２１…電磁シールド部材（補助部材）、２４…板バネ部（押付用弾性部）、２５…板バネ部（係止用弾性部、係止手段）、２６…固定部材。
【図１】
2012037617.tif 000003
【図２】
2012037617.tif 000004
【図３】
2012037617.tif 000005
【図４】
2012037617.tif 000006
【図５】
2012037617.tif 000007
【図６】
2012037617.tif 000008
【図７】
2012037617.tif 000009
【図８】
2012037617.tif 000010
【図９】
2012037617.tif 000011
【図１０】
2012037617.tif 000012
【図１１】
2012037617.tif 000013